(57)【要約】    【課題】  上扉と下扉との間のガタツキを防止し、上扉と下扉との間の隙間が大きくなるのを防ぎ、ひいては不正行為が行われにくい遊技機を提供する。    【解決手段】  遊技機Sは、箱型の筐体ユニット1と、ヒンジ60を中心に回動し、開口上部13を塞ぐ上扉30と、ヒンジ62を中心に回動し、開口下部14を塞ぐ下扉40とを有する。上扉30は、上扉嵌合部100を有し、下扉40は、上扉嵌合部100と嵌合する下扉嵌合部110を有する。上扉嵌合部100と下扉嵌合部110とは、ヒンジ60、62の回転軸のスラスト方向についての上扉30と下扉40との距離が一定になるように嵌合する。    【選択図】  図２
2006271472.tif 000002
【特許請求の範囲】
【請求項１】
正面側に開口部を有する箱型の筐体ユニットと、
ヒンジを中心に回動することにより、前記開口部の上側部分を正面側から開閉可能に塞ぐ上扉と、
ヒンジを中心に回動することにより、前記開口部の下側部分を正面側から開閉可能に塞ぐ下扉とを有する遊技機であって、
前記上扉は、その表面下部に、上扉嵌合部を有し、
前記下扉は、その裏面上部に、前記上扉嵌合部と嵌合する下扉嵌合部を有し、
前記上扉嵌合部と前記下扉嵌合部とは、ヒンジの回転軸のスラスト方向についての前記上扉と前記下扉との距離が一定になるように嵌合することを特徴とする遊技機。
【請求項２】
前記筐体ユニット内における上下方向のほぼ中間位置には、前記筐体ユニット内部を開口上部及び開口下部に分ける中板が設けられ、
前記上扉は、裏面下部に扉嵌合部を有し、
前記中板は、正面側端部に上扉閉塞状態で前記扉嵌合部と嵌合する中板嵌合部を有し、
前記扉嵌合部と前記中板嵌合部とは、ヒンジの回転軸のスラスト方向についての前記上扉の移動を阻止するように嵌合することを特徴とする請求項１記載の遊技機。
【請求項３】
前記筐体ユニット内における上下方向のほぼ中間位置には、前記筐体ユニット内部を開口上部及び開口下部に分ける中板が設けられ、
前記下扉は、裏面上部に扉嵌合部を有し、
前記中板は、正面側端部に下扉閉塞状態で前記扉嵌合部と嵌合する中板嵌合部を有し、
前記扉嵌合部と前記中板嵌合部とは、ヒンジの回転軸のスラスト方向についての前記下扉の移動を阻止するように嵌合することを特徴とする請求項１記載の遊技機。
【発明の詳細な説明】
【技術分野】
【０００１】
本発明は、遊技機に関し、更に詳しくは、上扉及び下扉のガタツキを抑えた遊技機に関するものである。
【背景技術】
【０００２】
従来より、メダル補給などのため遊技中に前扉を開放する場合に、制御装置などの重要部品が遊技者の目に触れないよう、前扉を上下に分割して、重要部品を配置した上扉は閉じた状態のまま下扉のみ開放可能なスロットマシンが考え出されている。このような遊技機においては、前扉を分割した隙間からワイヤ等の異物を挿入されやすく、一枚扉の遊技機に比べいわゆるゴト行為に弱いという問題点がある。
そこで、このような問題点を解決するために、上扉の下扉側端部に、下扉の上扉側端部の裏面にまで達する隠し部を設けて、上扉と下扉の隙間から異物を挿入されないようにしたスロットマシンが考えだされている（特許文献１参照）。
【特許文献１】特開２００３−４７６８５号公報
【発明の開示】
【発明が解決しようとする課題】
【０００３】
しかし、一般に、パチンコやスロットマシン等の遊技機では、扉の開閉が頻繁におこなわれことが多く、長年の使用によりヒンジ部分にガタツキが発生し、扉の反ヒンジ側が自重により下方にさがるいわゆる「へたり」が生じることがある。このような場合には、たとえ上記特許文献１に記載されているような隠し部が設けてあっても、例えばバールなどを使って、前扉が閉められた状態で上扉を上方に持ち上げ、下扉を下方に押し下げることにより、上扉と下扉との間に簡単に隙間が生じてしまうという問題点があった。
そこで、本発明は、上記状況に鑑み以下の点を目的とする。
（請求項１）
すなわち、請求項１記載の発明は、筐体ユニットの開口部を塞ぐ上扉と下扉とを有する遊技機であって、ヒンジの回転軸のスラスト方向についての上扉と下扉との距離を一定に保つように互いに嵌合する上扉嵌合部と下扉嵌合部を設けることにより、上扉と下扉との間の隙間が大きくなるのを防ぐことができ、上扉と下扉との間の隙間からワイヤ等の異物の挿入されることを防ぐ遊技機を提供することを目的とする。
【０００４】
（請求項２）
すなわち、請求項２記載の発明は、筐体ユニット内には中板を設け、上扉に扉嵌合部を設け、中板には中板嵌合部を設け、ヒンジの回転軸のスラスト方向についての上扉の移動を阻止するように扉嵌合部と中板嵌合部とが互いに嵌合するようにし、これにより、筐体ユニットに対する上扉の位置を安定させ、ひいては、上扉と下扉との間の隙間が大きくなることをより一層防ぐことができ、上扉と下扉との間の隙間からワイヤ等の異物が挿入されることをより一層防ぐ遊技機を提供することを目的とする。
（請求項３）
すなわち、請求項３記載の発明は、筐体ユニット内には中板を設け、下扉に扉嵌合部を設け、中板には中板嵌合部を設け、ヒンジの回転軸のスラスト方向についての下扉の移動を阻止するように扉嵌合部と中板嵌合部とが互いに嵌合するようにし、これにより、筐体ユニットに対する下扉の位置を安定させ、ひいては、上扉と下扉との間の隙間が大きくなることをより一層防ぐことができ、上扉と下扉との間の隙間からワイヤ等の異物が挿入されることをより一層防ぐ遊技機を提供することを目的とする。
【課題を解決するための手段】
【０００５】
各請求項にそれぞれ記載された発明は、前述の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、正面側に開口部（11）を有する箱型の筐体ユニット（1）と、ヒンジ（60）を中心に回動することにより、前記開口部の上側部分（13）を正面側から開閉可能に塞ぐ上扉（30）と、ヒンジ（62）を中心に回動することにより、前記開口部の下側部分（14）を正面側から開閉可能に塞ぐ下扉（40）とを有する遊技機（S）であって、前記上扉（30）は、その表面下部に、上扉嵌合部（100）を有し、前記下扉（40）は、その裏面上部に、前記上扉嵌合部（100）と嵌合する下扉嵌合部（110）を有し、前記上扉嵌合部（100）と前記下扉嵌合部（110）とは、ヒンジ（60、62）の回転軸のスラスト方向についての上扉（30）と下扉（40）との距離が一定になるように嵌合することを特徴とする。
【０００６】
ここで、「遊技機（S）」とは、具体的には、例えば、スロットマシンであるが、回転リールを有するパチンコ機や、その他の遊技機を含むものである。
また、「筐体ユニット（1）」は、正面に開口部（11）を有している。また、「筐体ユニット（1）」は、上面に天板（17）、下面に底板（15）、背面に背板（18）及び左右の両側面に側板（16）を有する箱型の形状を有している。
また、「上扉（30）」及び「下扉（40）」は、筐体ユニット（1）の開口部（11）を開閉自在に塞ぐためのものである。また、この「上扉（30）」及び「下扉（40）」を閉めると、スロットマシン（S）の正面構造となる。すなわち、この「上扉（30）」及び「下扉（40）」には、例えば、回転リール（23）を見ることができる表示窓（31）や、スロットマシン（S）を操作するための操作部（41）等を設けることができる。
【０００７】
また、「上扉（30）」は、筐体ユニット（1）の開口部（11）の上側部分を開閉自在に塞ぐことができ、「下扉（40）」は、筐体ユニット（1）の開口部（11）の下側部分を開閉自在に塞ぐことができる。
また、「ヒンジ（60、62）」は、例えば、筐体ユニット（1）の左側の側板（16）の前端に設けることができる。また、「ヒンジ（60、62）」は、例えば、交換ユニット（2）等のような、筐体ユニット（1）内部の構成品に設けることもできる。ヒンジ（60、62）は、筐体ユニット（1）または筐体ユニット（1）内部の構成品に、上扉（30）または下扉（40）について１個ずつ設けてもよいし、複数個設けてもよい。
【０００８】
また、ヒンジ（60、62）は、上下方向に延びる回転軸を有している。また、回転軸は、側板（16）の前端と平行に設けられている。
また、上扉（30）の表面下部には、「上扉嵌合部（110）」が設けられている。また、下扉（40）の裏面上部には、「下扉嵌合部（112）」が設けられている。「下扉嵌合部（112）」は、下扉（40）の裏面上部の「上扉嵌合部（110）」と嵌合する位置に設けられている。
また、「上扉嵌合部（110）」と「下嵌合部（112）」とは、互いに嵌合した状態で、ヒンジ（60、62）の回転軸の少なくともスラスト方向についての上扉（30）と下扉（40）との距離が一定になるように形成されている。
【０００９】
例えば、上扉（30）の表面下部に、底板（15）から一定の高さで並設した複数の上扉嵌合孔（102）を設ける。つまり、上扉嵌合孔（102）は底板（15）に対して水平に設けられる。この上扉嵌合孔（102）は、横方向の長さが長くなるような長孔に形成する。
また、このとき、下扉（40）の裏面下部に、下扉（40）に対してほぼ直角に突出した下扉嵌合片（114）を設ける。下扉嵌合片（114）は、上扉嵌合孔（102）と同数設ける。また、各下扉嵌合片（114）は、各上扉嵌合孔（102）とそれぞれ対応する位置に設ける。各下扉嵌合片（114）は、上扉嵌合孔（102）の短径とほぼ径が等しい円柱形状に形成する。
この状態で、上扉（30）と下扉（40）とを閉じると、上扉（30）の表面下部に設けた各上扉嵌合孔（102）に、下扉（40）の裏面下部に設けた各下扉嵌合片（114）がそれぞれ嵌合する。このとき、上下方向のガタツキがないように、上扉嵌合孔（102）である長孔の上下方向の径（短径）と、下扉嵌合片（114）である円柱の直径とを定める。これにより、ヒンジ（60、62）の回転軸のスラスト方向についての、上扉（30）と下扉（40）との距離を一定に保つことができる。この場合、上扉（30）の表面下部に設けた各上扉嵌合孔（102）をそれぞれ「上扉嵌合部（100）」とすることができ、下扉（40）の裏面上部に設けた各下扉嵌合片（114）をそれぞれ「下扉嵌合部（110）」とすることができる。
【００１０】
また、反対に、上扉（30）の表面下部に、上扉（30）に対してほぼ直角に突出した複数の上扉嵌合片（104）を設け、下扉（40）の裏面上部には、前記各上扉嵌合片（104）に対応する位置にそれぞれ下扉嵌合孔（112）を設けることもできる。上扉嵌合片（104）と下扉嵌合孔（112）とは、上述した上扉嵌合孔（102）と下扉嵌合片（114）との場合と同様に、互いに嵌合するように形成する。このとき、上述した上扉嵌合孔（102）と下扉嵌合片（114）との場合と同様に、上扉嵌合片（104）が下扉嵌合孔（112）に嵌合したとき、上下方向のガタツキがないようにする。
この場合も、上扉（30）と下扉（40）とを閉じると、ヒンジ（60、62）の回転軸のスラスト方向についての、上扉（30）と下扉（40）との距離を一定に保つことができる。この場合は、上扉（30）の表面下部に設けた各上扉嵌合片（104）をそれぞれ「上扉嵌合部（100）」とし、下扉の裏面上部に設けた各下扉嵌合孔（112）をそれぞれ「下扉嵌合部（110）」とすることができる。
【００１１】
また、例えば、上述した下扉嵌合片（114）の形状を板状にすることもできる。このとき、各下扉嵌合片（114）は、板面が底板（15）と平行になるように設ける。この場合、各下扉嵌合片（114）に嵌合する各上扉嵌合孔（102）は、それぞれ横長の長方形状の長孔とする。
このとき、上扉（30）と下扉（40）とを閉じると、長孔状の各上扉嵌合孔（102）に、板状の各下扉嵌合片（114）がそれぞれ嵌合する。このとき、上下方向のガタツキがないように、上扉嵌合孔（102）である長孔の上下方向の径（短径）と、下扉嵌合片（114）である板の厚さとを定める。これにより、ヒンジ（60、62）の回転軸のスラスト方向についての、上扉（30）と下扉（40）との距離を一定に保つことができる。この場合、上扉（30）の表面下部に設けた長孔状の各上扉嵌合孔（102）をそれぞれ「上扉嵌合部（100）」とすることができ、下扉（40）の裏面上部に設けた板状の各下扉嵌合片（114）をそれぞれ「下扉嵌合部（110）」とすることができる。
【００１２】
また、例えば、上述した上扉嵌合片（104）の形状を板状にすることもできる。この場合、各上扉嵌合片（104）が嵌合する各下扉嵌合孔（112）は、それぞれ横長の長方形状の長孔とする。
この場合も、下扉嵌合片（112）を板状にし、上扉嵌合孔（102）を長孔状にした場合と同様の効果を得ることができる。この場合、上扉（30）の表面下部に設けた板状の各上扉嵌合片（104）をそれぞれ「上扉嵌合部（100）」とすることができ、下扉（40）の裏面上部に設けた長孔状の各下扉嵌合孔（112）をそれぞれ「下扉嵌合部（110）」とすることができる。
【００１３】
また、下扉嵌合片（114）は、例えば、根元側から先端側へ向かうに従ってその直径が次第に小さくなるような形状（テーパ状あるいは円錐状）に形成することができる。このとき、上扉嵌合孔（102）は、長孔ではなく、例えば、円孔にすることができる。つまり、下扉嵌合片（114）をテーパ状あるいは円錐状にすると、上扉（30）及び下扉（40）の開閉を考慮して上扉嵌合孔（102）を横長の長孔状にする必要がなくなる。そして、下扉嵌合片（114）が上扉嵌合孔（102）に嵌合したとき、上下方向のみならず左右方向のガタツキがないように形成することができる。
また、上扉嵌合片（104）についても、例えば、根元側から先端側へ向かうに従ってその直径が次第に小さくなるような形状（テーパ状あるいは円錐状）に形成することができる。このとき、下扉嵌合孔（112）を長孔でなく円孔にすることができる。つまり、上扉（30）及び下扉（40）の開閉を考慮して下扉嵌合孔（112）を横長の長孔状にする必要がなくなる。そして、上扉嵌合片（112）が下扉嵌合孔（104）に嵌合したとき、上下方向のみならず左右方向のガタツキがないように形成することができる。
【００１４】
また、下扉嵌合片（114）が板状である場合は、根元側から先端側へ向かうに従って板の横幅が次第に狭くなるような箇所（テーパー部）を有する形状にすることができる。このとき、下扉嵌合片（114）が嵌合する上扉嵌合孔（102）は横長の長方形状の長孔とする。この場合、下扉嵌合片（114）にテーパー部を設けているので、上扉（30）及び下扉（40）の開閉を考慮して上扉嵌合孔（102）の横方向の径（長径）を余計に大きくする必要がない。したがって、下扉嵌合片（114）を構成する板の上下の厚さ及び板の横幅と、下扉嵌合片（114）に嵌合する上扉嵌合孔（102）の上下方向の径（短径）及び横方向の径（長径）とを考慮することにより、上下方向のガタツキのみならず左右方向のガタツキも抑えることができる。
【００１５】
また、上扉嵌合片（104）が板状である場合は、根元側から先端側へ向かうに従って板の横幅が次第に狭くなるような箇所（テーパー部）を有する形状にすることができる。このとき、上扉嵌合片（104）が嵌合する下扉嵌合孔（112）は横長の長方形状の長孔とする。この場合、上扉嵌合片（104）にテーパー部を設けているので、上扉（30）及び下扉（40）の開閉を考慮して下扉嵌合孔（112）の横方向の径（長径）を余計に大きくする必要がない。したがって、上扉嵌合片（104）を構成する板の上下の厚さ及び板の横幅と、上扉嵌合片（104）に嵌合する下扉嵌合孔（112）の上下方向の径（短径）及び横方向の径（長径）とを考慮することにより、上下方向のガタツキのみならず左右方向のガタツキも抑えることができる。
【００１６】
また、上扉（30）と上扉嵌合片（104）とは、一体的に形成してもよく、また、上扉嵌合片（104）は、上扉（30）と別個に形成し、例えば、ビス止め等を用いて、上扉（30）に固定してもよい。また、上扉嵌合片（104）は、例えば、樹脂や金属等によって形成することができる。
また、下扉（40）と下扉嵌合片（114）とは、一体的に形成してもよく、また、下扉嵌合片（114）は、下扉（40）と別個に形成し、例えば、ビス止め等を用いて、下扉（40）に固定してもよい。また、下扉嵌合片（114）は、例えば、樹脂や金属等によって形成することができる。
【００１７】
（請求項２）
（特徴点）
請求項２記載の発明は、請求項１記載の発明を限定したものであって、次の点を特徴とする。
すなわち、請求項２記載の発明は、前記筐体ユニット（1）内における上下方向のほぼ中間位置には、前記筐体ユニット（1）内部を開口上部（13）及び開口下部（14）に分ける中板（12）が設けられ、前記上扉（30）は、裏面下部に扉嵌合部（120）を有し、前記中板（12）は、正面側端部に上扉（30）閉塞状態で前記扉嵌合部（120）と嵌合する中板嵌合部（126）を有し、前記扉嵌合部（120）と前記中板嵌合部（126）とは、ヒンジ（60）の回転軸のスラスト方向についての前記上扉（30）の移動を阻止するように嵌合することを特徴とする。
【００１８】
ここで、「中板（12）」は、筐体ユニット（1）内における上下方向のほぼ中間位置に設けられて、筐体ユニット（1）内部を開口上部（13）及び開口下部（14）に分けるものである。また、筐体ユニット（1）の開口部（11）の上側部分、つまり、開口上部（13）は、上扉（30）によって、開閉自在に塞がれ、また、筐体ユニット（1）の開口部（11）の下側部分、つまり、開口下部（14）は、下扉（40）によって開閉自在に塞がれる。また、中板（12）は、筐体ユニット（1）の開口を上下二つの開口に仕切ることができると共に、例えば、リールユニット（22）等を含む交換ユニット（2）を載せることができるものである。つまり、「中板（12）」は、例えば、リールユニット（22）等を含む交換ユニットを支持するためのものである。したがって、「中板（12）」は、筐体ユニット（1）の内部に横方向に渡したものであればよく、特に材質を限定するものではない。中板（12）として、例えば、木質板を用いてもよく、また、金属板を用いてもよい。
【００１９】
また、「扉嵌合部（120）」は、上扉（30）の裏面下部に位置する。
また、「中板嵌合部（126）」は、筐体ユニット（1）の中板（12）の正面側端部に位置し、上扉（30）を閉じたときに、扉嵌合部（120）と嵌合するものである。
例えば、上扉（30）の裏面下部に、上扉（30）を閉じた状態で筐体ユニット（1）の内部方向へ向けて突出する２枚の挟持板を設ける。この２枚の挟持板は、横長の長方形の平板状に形成する。この２枚の挟持板は、いずれも一辺が上扉（30）の裏面下部に連設されている。この２枚の挟持板は、いずれも板面が底板（15）に対して平行になるように設ける。この２枚の挟持板は、底板（15）からの高さがそれぞれ相違するように設ける。つまり、この２枚の挟持板は、上下に平行に設ける。このとき、上側に設けられる挟持板を上部挟持板（122）とし、下側に設けられる挟持板を下部挟持板（124）とする。
【００２０】
また、上部挟持板（122）と下部挟持板（124）との間の隙間は、中板（12）の正面側端部が嵌るような隙間とする。
逆に言えば、中板（12）を構成する板の上下方向の厚さを、上部挟持板（122）と下部挟持板（124）との間の隙間に嵌る厚さとする。
また、「上部挟持板（122）及び下部挟持板（124）」と「中板（12）の正面側端部」とは、互いに嵌合することにより、ヒンジ（60）の回転軸のスラスト方向についての上扉（30）の移動を阻止するように形成される。
このとき、上扉（30）の裏面下部に設けた上部挟持板（122）と下部挟持板（124）とを「扉嵌合部（120）」とすることができる。
【００２１】
また、中板（12）を構成する板の上下方向の厚さを、扉嵌合部（120）と嵌合するのに適した厚さにすれば、中板（12）の正面側端部をそのまま、「中板嵌合部（126）」とすることができる。
また、例えば、上部挟持板（122）と下部挟持板（124）との間の隙間を、上部挟持板（122）及び下部挟持板（124）の根元側から先端側へ向かうに従って次第に広くなるように形成してもよい。これにより、所定の位置で中板嵌合部（126）の正面側先端部が、上部挟持板（122）の下面と下部挟持板（124）の上面とに当接することになる。これにより、扉嵌合部（120）と中板嵌合部（126）とのガタツキを抑え、ヒンジ（60）の回転軸のスラスト方向についての上扉（30）の移動を阻止することができる。
【００２２】
また、例えば、上扉（30）の裏面下部に、上扉（30）を閉じた状態で筐体ユニット（1）の内部方向へ向けて突出する円柱形状や板形状の突出片を設けて「扉嵌合部（120）」とし、中板（12）の正面側端面に、扉嵌合部（120）と嵌合する円孔、長孔や四角形状の孔を設けて中板嵌合部（126）としてもよい。この場合も、扉嵌合部（120）と中板嵌合部（126）とを嵌合させることにより、扉嵌合部（120）と中板嵌合部（126）とのガタツキを抑え、ヒンジ（60）の回転軸のスラスト方向についての上扉（30）の移動を阻止することができる。
また、上述の記載とは逆に、上扉（30）の裏面下部に円孔、長孔や四角形状の孔を設けて扉嵌合部（120）とし、中板（12）の正面側端面に、正面方向へ向けて突出し、扉嵌合部（120）と嵌合する円柱形状や板形状の突出片を設けて中板嵌合部（126）としてもよい。この場合も、扉嵌合部（120）と中板嵌合部（126）とを嵌合させることにより、扉嵌合部（120）と中板嵌合部（126）とのガタツキを抑え、ヒンジ（60）の回転軸のスラスト方向についての上扉（30）の移動を阻止することができる。
【００２３】
また、扉嵌合部（120）を構成する上部挟持板（122）と下部挟持板（124）とは、それぞれ１枚の板で形成してもよいし、底板（15）に対して平行な板を横並びに複数枚設けて形成してもよい。
（請求項３）
（特徴点）
請求項３記載の発明は、請求項１記載の発明を限定したものであって、次の点を特徴とする。
すなわち、請求項３記載の発明は、前記筐体ユニット（1）内における上下方向のほぼ中間位置には、前記筐体ユニット（1）内部を開口上部（13）及び開口下部（14）に分ける中板（12）が設けられ、前記下扉（40）は、裏面上部に扉嵌合部（120）を有し、前記中板（12）は、正面側端部に下扉（40）閉塞状態で前記扉嵌合部（120）と嵌合する中板嵌合部（126）を有し、前記扉嵌合部（120）と前記中板嵌合部（126）とは、ヒンジ（62）の回転軸のスラスト方向についての前記下扉（40）の移動を阻止するように嵌合することを特徴とする。
【００２４】
ここで、「扉嵌合部（120）」は、下扉（40）の裏面上部に位置する。
また、「中板嵌合部（126）」は、筐体ユニット（1）の中板（12）の正面側端部に位置し、下扉（40）を閉じたときに、扉嵌合部（120）と嵌合するものである。
例えば、下扉（40）の裏面下部に、下扉（40）を閉じた状態で筐体ユニット（1）の内部方向へ向けて突出する２枚の挟持板を設ける。この２枚の挟持板は、横長の長方形の平板状に形成する。この２枚の挟持板は、いずれも一辺が下扉（40）の裏面上部に連設されている。この２枚の挟持板は、いずれも板面が底板（15）に対して平行になるように設ける。この２枚の挟持板は、底板（15）からの高さがそれぞれ相違するように設ける。つまり、この２枚の挟持板は、上下に平行に設ける。このとき、上側に設けられる挟持板を上部挟持板（122）とし、下側に設けられる挟持板を下部挟持板（124）とする。
【００２５】
また、上部挟持板（122）と下部挟持板（124）との間の隙間は、中板（12）の正面側端部が嵌るような隙間とする。
逆に言えば、中板（12）を構成する板の上下方向の厚さを、上部挟持板（122）と下部挟持板（124）との間の隙間に嵌る厚さとする。
また、「上部挟持板（122）及び下部挟持板（124）」と「中板（12）の正面側端部」とは、互いに嵌合することにより、ヒンジ（62）の回転軸のスラスト方向についての下扉（40）の移動を阻止するように形成される。
このとき、下扉（40）の裏面下部に設けた上部挟持板（122）と下部挟持板（124）とを「扉嵌合部（120）」とすることができる。
【００２６】
また、中板（12）を構成する板の上下方向の厚さを、扉嵌合部（120）と嵌合するのに適した厚さにすれば、中板（12）の正面側端部をそのまま、「中板嵌合部（126）」とすることができる。
また、例えば、上部挟持板（122）と下部挟持板（124）との間の隙間を、上部挟持板（122）及び下部挟持板（124）の根元側から先端側へ向かうに従って次第に広くなるように形成してもよい。これにより、所定の位置で中板嵌合部（126）の正面側先端部が、上部挟持板（122）の下面と下部挟持板（124）の上面とに当接することになる。これにより、扉嵌合部（120）と中板嵌合部（126）とのガタツキを抑え、ヒンジ（62）の回転軸のスラスト方向についての下扉（40）の移動を阻止することができる。
【００２７】
また、例えば、下扉（40）の裏面下部に、下扉（40）を閉じた状態で筐体ユニット（1）の内部方向へ向けて突出する円柱形状や板形状の突出片を設けて「扉嵌合部（120）」とし、中板（12）の正面側端面に、扉嵌合部（120）と嵌合する円孔、長孔や四角形状の孔を設けて中板嵌合部（126）としてもよい。この場合も、扉嵌合部（120）と中板嵌合部（126）とを嵌合させることにより、扉嵌合部（120）と中板嵌合部（126）とのガタツキを抑え、ヒンジ（62）の回転軸のスラスト方向についての下扉（40）の移動を阻止することができる。
また、上述の記載とは逆に、下扉（40）の裏面下部に円孔、長孔や四角形状の孔を設けて扉嵌合部（120）とし、中板（12）の正面側端面に、正面方向へ向けて突出し、扉嵌合部（120）と嵌合する円柱形状や板形状の突出片を設けて中板嵌合部（126）としてもよい。この場合も、扉嵌合部（120）と中板嵌合部（126）とを嵌合させることにより、扉嵌合部（120）と中板嵌合部（126）とのガタツキを抑え、ヒンジ（62）の回転軸のスラスト方向についての下扉（40）の移動を阻止することができる。
【００２８】
また、扉嵌合部（120）を構成する上部挟持板（122）と下部挟持板（124）とは、それぞれ１枚の板で形成してもよいし、底板（15）に対して平行な板を横並びに複数枚設けて形成してもよい。
【発明の効果】
【００２９】
（請求項１）
請求項１記載の発明によれば、開口部を有する箱型の筐体ユニットと、開口部の上側部分を塞ぐ上扉と、開口部の下側部分を塞ぐ下扉とを有する遊技機であって、上扉には上扉嵌合部を設け、下扉には下扉嵌合部を設け、上扉嵌合部と下扉嵌合部とは、ヒンジの回転軸のスラスト方向についての上扉と下扉との距離が一定に保たれるように、互いに嵌合するようにした。これにより、上扉及び下扉が「へたり」にくくなり、上扉と下扉との間の隙間が大きくなることを防ぐことができ、上扉と下扉との間の隙間からワイヤ等の異物が挿入されるのを防ぐことができる。
【００３０】
（請求項２）
請求項２記載の発明によれば、上記した請求項１記載の発明の効果に加え、次のような効果を奏する。
すなわち、請求項２記載の発明は、請求項１記載の発明に加えて、筐体ユニット内には中板を設け、上扉の裏面下部に、扉嵌合部を設け、中板には中板嵌合部を設け、扉嵌合部と中板嵌合部とは、ヒンジの回転軸のスラスト方向についての上扉の移動を阻止するように、互いに嵌合するようにした。これにより、筐体ユニットに対する上扉の位置を安定させることができるので、上扉が「へたり」にくくなり、ひいては、上扉と下扉との間の隙間が大きくなることをより一層防ぐことができ、上扉と下扉との間の隙間からワイヤ等の異物が挿入されるのをより一層防ぐことができる。
【００３１】
（請求項3）
請求項３記載の発明によれば、上記した請求項１記載の発明の効果に加え、次のような効果を奏する。
すなわち、請求項３記載の発明は、請求項１記載の発明に加えて、筐体ユニット内には中板を設け、下扉の裏面上部に、扉嵌合部を設け、中板には中板嵌合部を設け、扉嵌合部と中板嵌合部とは、ヒンジの回転軸のスラスト方向についての下扉の移動を阻止するように、互いに嵌合するようにした。これにより、筐体ユニットに対する下扉の位置を安定させることができるので、下扉が「へたり」にくくなり、ひいては、上扉と下扉との間の隙間が大きくなることをより一層防ぐことができ、上扉と下扉との間の隙間からワイヤ等の異物が挿入されるのをより一層防ぐことができる。
【発明を実施するための最良の形態】
【００３２】
本発明を表す好適な実施の形態を、遊技機の一つであるスロットマシンを例に図面に基づき説明する。
（第１の実施の形態）
（図面の説明）
図１ないし図４は、本発明の第1の実施の形態を示すものである。図１は、第１の実施の形態における遊技機としてのスロットマシンSの分解斜視図である。図２は、第１の実施の形態における遊技機としてのスロットマシンSの分解斜視図である。図３は、第１の実施の形態における遊技機としてのスロットマシンSの下扉40開放時の全体斜視図である。図４は、第１の実施の形態における遊技機としてのスロットマシンSの側面断面図である。
【００３３】
本実施の形態では、「正面」とは、遊技機Sにおいて遊技を行う際に遊技者が向き合う面をいう。また、「右側」とは、遊技機Sの前面に向き合って遊技を行う遊技者から見て右側をいう。また、「左側」とは、遊技機Sの前面に向き合って遊技を行う遊技者から見て左側をいう。
（分離型スロットマシンS）
図1に示すように、本実施の形態に係る分離型スロットマシンSは、大きく分けて、正面側に開口部11を有する筐体ユニット1と、筐体ユニット1の内部に着脱自在に設けられる交換ユニット2と、筐体ユニット1の開口部11を開閉自在に塞ぐ前扉3とから構成されている。
【００３４】
また、前扉3は、筐体ユニット1の開口部11のうち上側部分（開口上部13）を開閉自在に塞ぐ上扉30と、筐体ユニット1の開口部11のうち下側部分（開口下部14）を開閉自在に塞ぐ下扉40とから構成されている。
（筐体ユニット1）
筐体ユニット1は、底板15、側板16、天板17及び背板18から構成され、正面側には開口部11を有する箱型の筺体である。また、この筐体ユニット1内部の高さ方向ほぼ中央には、水平方向に中板12が設けられている。そして、この中板12の下面には、電源ユニット4が設けられ、また、底板15の上面には、ホッパーユニット5が固定されている。なお、ここで、ホッパーユニット5を使用しているが、特にこれに限定されるものではなく、遊技メダルを払い出すことができる他の払い出し装置であっても良い。
【００３５】
ここで、電源ユニット4は、中板12の下面に、取り付け板等を介して取り付けられている。また、この電源ユニット4には、電源装置が内装されているとともに、遊技店側が種々の設定を行うための店操作部80が設けられている。また、ホッパーユニット5は、投入されたメダルを貯留しておくとともに、入賞によりメダルを払い出すためのものである。
また、電源ユニット4及びホッパーユニット5は、交換ユニット2の交換に際して、必ずしも交換する必要がないため、筐体ユニット1に固定したままにすることができるようになっている。
また、側板16の正面左側の下部には、下扉40を係合させ、回転自在に支持するためヒンジ62が、上下方向に間隔をおいて二つ設けられている。ヒンジ62は、側板16の正面左側端面に対して平行に伸びた回転軸を有している。この回転軸は、後述する下扉40の下扉係合部63と係合し、下扉40をヒンジ62の回転軸を中心に回動可能にしている。
【００３６】
更に、ヒンジ62の対向側の側板16の正面右側の下部には、下扉40を閉めた際、下扉40をロックするためのロック機構7としての突出片90が、上下方向に間隔をおいて二つ設けられている。
（交換ユニット2）
交換ユニット2は、種々の部品を設置あるいは固定するための支持体としての枠体21と、この枠体21に固定されたリールユニット22と、基板ユニット24とから構成されている。
ここで、リールユニット22は、周囲に複数の図柄を表示した複数の回転リール23と、特に図示しないが、回転リール23を回転させるための駆動モータとを有している。また、基板ユニット24には、遊技及びスロットマシンの作動を制御するための主基板と、各種演出を行うための副基板とが含まれている。
【００３７】
また、枠体21の正面左側の縦枠には、上扉30を係合させ、回転自在に支持するためヒンジ60が、上下方向に間隔をおいて二つ設けられている。ヒンジ60は、枠体21の正面左側の縦枠に対して平行に伸びた回転軸を有している。この回転軸は、後述する上扉30の上扉係合部61と係合し、上扉30をヒンジの60の回転軸を中心に回動可能にしている。
更に、ヒンジ60の対向側の枠体21の正面右側の縦枠には、上扉30を閉めた際、上扉30をロックするためのロック機構7としての突出片90が、上下方向に間隔をおいて二つ設けられている。
そして、交換ユニット2は、筐体ユニット1の中板12の上に載置され、開口上部13内部に収納される。そして、この交換ユニット2は、固定装置10により、筐体ユニット1に固着されている。
【００３８】
（前扉3）
前扉3は、筐体ユニット1の開口部11を開閉自在に塞ぐためのものである。この前扉3を閉めると、分離型スロットマシンの正面構造となる。また、この前扉3は、筐体ユニット1の開口部11のうち上側部分（開口上部13）を開閉自在に塞ぐ上扉30と、筐体ユニット1の開口部11のうち下側部分（開口下部14）を開閉自在に塞ぐ下扉40とから構成されている。
（上扉30）
上扉30は、筐体ユニット1の開口上部13を開閉自在に塞ぐためのものである。この上扉30は、板状の扉であり、交換ユニット2の枠体21に回動可能かつロック可能に形成されている。また、この上扉30のほぼ中央部には、前記回転リール23の図柄を正面側から見ることができる図柄表示窓31が設けられ、また、この上扉30の周囲には、飾り部33が設けられ、また、この上扉30の正面下部には、種々の表示を行うための表示装置32が設けられている。
【００３９】
ここで、飾り部33は、ランプ等により形成してもよく、また、入賞の報知その他の演出時にランプが点滅するようにしてもよい。また、表示装置32は、７セグメントＬＥＤ等により数字を表示するものや、特に図示しないが、例えば、画像を表示するための液晶画面あるいはＣＲＴなどとしてもよい。
また、図１及び図２に示すように、上扉30の正面から向かって左側の裏面には、ヒンジ60に係合可能な上扉係合部61が上下方向に間隔をおいて二つ設けられている。そして、上扉30の正面から向かって右側の裏面には、交換ユニット2の枠体21の突起片90にロック可能なアンカー状のものを有するロック機構7が設けられている。また、ヒンジ60に上扉係合部61が回動可能に係合することにより、上扉30は、ヒンジ60の回転軸に軸支されるものである。そして、上扉30を閉じると、突出片90に扉ロック機構7がロックされることにより、上扉30を閉じた状態に維持することができるものである。
【００４０】
また、図1ないし図４に示すように、上扉30の表面下部には、上扉嵌合部100が設けられている。また、上扉嵌合部100は、後述する下扉嵌合部110と嵌合する。したがって、上扉嵌合部100は、下扉嵌合部110と対応する位置に設けられている。
（上扉嵌合部100）
上扉嵌合部100は、底板15に対して所定の高さに並設された複数の上扉嵌合孔102により形成されている。各上扉嵌合孔102は、すべて同一の高さに並設されている。つまり、上扉嵌合孔102は、底板15に対して平行に並設されている。上扉嵌合孔102は、水平方向に所定の間隔で設けられている。本実施の形態では、上扉嵌合孔102は、所定の間隔で合計４個設けられている。各上扉嵌合孔102は、横方向の長さが長い長孔である。各上扉嵌合孔102は、後述する下扉40の各下扉嵌合片114がそれぞれ挿入されることにより、各下扉嵌合片114とそれぞれ嵌合して、上下方向のガタツキを抑える機能を有する。したがって、各上扉嵌合孔102の縦方向の径（短径）は、円柱状の各下扉嵌合片114の直径よりもわずかに大きく、かつ、ガタツキを防ぐのに適した大きさとされている。
【００４１】
（扉嵌合部120）
上扉30の裏面下部には、扉嵌合部120が設けられている。扉嵌合部120は、上部挟持板122と下部挟持板124とを有している。上側に位置するのが上部挟持板122であり、下側に位置するのが下部挟持板124である。また、上部挟持板122及び下部挟持板124は、いずれも、上扉30を閉じた状態で上扉30の裏面から筐体ユニット1内部方向へ向かって突出している。また、上部挟持板122及び下部挟持板124は、いずれも、長方形の平板状に形成されている。また、上部挟持板122及び下部挟持板124は、いずれも、板面が底板15と平行になるように設けられている。また、上部挟持板122と下部挟持板124とは、ともに上扉30に対してほぼ直角に突出している。上部挟持板122と下部挟持板124とは、ともに長辺の一方が上扉30の裏面下部に連結されている。上部挟持板122と下部挟持板124とは、底板15からの高さがそれぞれ相違するように設けられている。つまり、上部挟持板122と下部挟持板124とは、上下に平行に設けられている。これにより、上部挟持板122と下部挟持板124との間には、隙間が設けられている。また、この扉嵌合部120は、上扉30を閉じた状態で、後述する中板嵌合部126と嵌合するように形成されている。したがって、扉嵌合部120は、上扉30の裏面下部における、中板嵌合部126の高さに対応する位置に設けられている。
【００４２】
また、上扉30は、主にプラスチックによって形成されている。また、扉嵌合部120は、金属によって形成されている。そして、扉嵌合部120の上扉30への固定は、ビス及び接着剤等を用いて行われている。
（下扉40）
下扉40は、筐体ユニット1の開口下部14を開閉自在に塞ぐためのものである。この下扉40は、上扉30よりも幅厚の扉であり、筐体ユニット1の側板16に回動可能かつロック可能に形成されている。また、この下扉40の上面は、閉扉時には、上扉30よりも前側に突出するように形成されている。また、この下扉40の上部には、スロットマシンを作動させるための操作部41が設けられ、また、この下扉40のほぼ中央部には、遊技内容その他の表示をするための前パネル（図示せず）が嵌め込まれ、また、この下扉40の下部には、払い出されたメダルを溜めておくためのメダル受け43が形成されている。
【００４３】
また、操作部41としては、下扉40の上面右側には、メダル投入口42が設けられ、また、下扉40の上面左側には、ベットスイッチが設けられ、また、下扉40の正面上部には、スタートスイッチ及びストップスイッチが設けられている。なお、ベットスイッチとは、貯留メダルをメダル投入に代えるためのものであり、また、スタートスイッチとは、回転リール23の回転を開始させるためのものであり、また、ストップスイッチとは、回転リール23の回転を停止させるためのものである。
また、図２に示すように、下扉40の裏面には、前記メダル投入口42から投入されたメダルを誘導しながらメダルの正偽を判断するためのメダルセレクター45が設けられている。また、下扉40の裏面下部の左右には、種々の音声を出力するためのスピーカが設けられている。
【００４４】
また、図１及び図２に示すように、下扉40の正面から向かって左側の裏面には、開口下部14のヒンジ62に係合可能な下扉係合部63が、上下方向に間隔をおいて二つ設けられている。そして、下扉40の正面から向かって右側の裏面には、筐体ユニット1の側板16の正面右側の下部に上下方向に間隔をおいて二つ設けてある突出片90に、ロック可能なアンカー状のものを有するロック機構7が設けられている。また、ヒンジ62に下扉係合部63が回動可能に係合することにより、下扉40は、ヒンジ62の回転軸に軸支されるものである。そして、下扉40を閉じると、突出片90に扉ロック機構7がロックされることにより、下扉40を閉じた状態にすることができるものである。
【００４５】
また、図1ないし図３に示すように、下扉40の裏面上部には、下扉嵌合部110が設けられている。また、下扉嵌合部110は、上扉嵌合部100と嵌合する。したがって、下扉嵌合部110は、上扉嵌合部100と対応する位置に設けられている。
（下扉嵌合部110）
下扉嵌合部110は、下扉40の裏面上部に設けられている。下扉嵌合部110は、底板15に対して所定の高さに並設された複数の下扉嵌合片114により形成されている。各下扉嵌合片114は、底板15から同一の高さに形成されている。つまり、下扉嵌合片114は、底板15に対して平行に並設されている。下扉嵌合片114は、水平方向に所定の間隔で設けられている。本実施の形態では、下扉嵌合片114は、合計４個設けられている。各下扉嵌合片114は、下扉40に対してほぼ直角に突出している。各下扉嵌合片114は、下扉40を閉じた状態で、下扉40の裏面から筐体ユニット1内部方向へ向けて突出している。各下扉嵌合片114は、底板15及び左右の両側板16のそれぞれに対してほぼ平行に設けられている。各下扉嵌合片114は、円柱形状をしている。各下扉嵌合片114は、各上扉嵌合孔102にそれぞれ挿入されることにより、各上扉嵌合孔102とそれぞれ嵌合して、上下方向のガタツキを抑える機能を有する。したがって、各下扉嵌合片114の直径は、各上扉嵌合孔102の長孔の縦方向の径（短径）よりもわずかに小さく、かつ、ガタツキを防ぐのに適した大きさとされている。
【００４６】
（作用・効果）
上扉30及び下扉40を閉じる場合は、図３に示すように、先に上扉30を閉じる。上扉30は、正面向かって左側の裏面に上扉係合部61を有しており、かかる上扉係合部61は、枠体21のヒンジ60の回転軸に回動可能に係合されている。また、上扉30は、正面向かって右側の裏面にロック機構7が設けられており、かかるロック機構7は、枠体21の突出片90にロックすることが可能である。したがって、上扉30は、筐体ユニット1の開口上部13を塞ぐように閉じることが可能であり、かつ、その閉じた状態で固定することが可能である。
上扉30を閉じたら、次に下扉40を閉じる。下扉40は、正面向かって左側の裏面に下扉係合部63を有しており、かかる下扉係合部63は、開口下部14のヒンジ62の回転軸に回動可能に係合されている。また、下扉40は、正面向かって右側の裏面にロック機構7が設けられており、かかるロック機構7は、筐体ユニット1の側板16に設けてある突出片90にロックすることが可能である。したがって、下扉40は、筐体ユニット1の開口下部14を塞ぐように閉じることが可能であり、かつ、その閉じた状態で固定することが可能である。
【００４７】
そして、上扉30及び下扉40を閉じた状態では、ヒンジ60、62の回転軸のスラスト方向についての、上扉30と下扉40との距離が一定に保たれるように、各上扉嵌合部100と各下扉嵌合部110とがそれぞれ互いに嵌合する。
これにより、上扉30及び下扉40が「へたり」にくくなり、上扉30と下扉40との間の隙間が大きくなることを防ぐことができ、上扉30と下扉40との間の隙間からワイヤ等の異物が挿入されるのを防ぐことができる。
また、上扉30を閉じた状態では、ヒンジ60の回転軸のスラスト方向についての上扉30の移動を阻止するように、上扉30の裏面下部に設けた扉嵌合部120と、筐体ユニット1内部に設けた中板12の中板嵌合部126とが互いに嵌合する。これにより、筐体ユニット1に対する上扉30の位置が安定し、上扉30が「へたり」にくくなり、ひいては、上扉30と下扉40との間の隙間が大きくなることをより一層防ぐことができ、上扉30と下扉40との間の隙間からワイヤ等の異物が挿入されるのをより一層防ぐことができる。
【００４８】
（第２の実施の形態）
（図面の説明）
図５は、本発明の第２の実施の形態を示すものである。図５は、第２の実施の形態における遊技機としてのスロットマシンSの下扉40開放時の全体斜視図である。
本実施の形態は、図５に示すように、下扉嵌合片114の形状を板状にするとともに、上扉嵌合孔102の形状を、下扉嵌合片114の形状に合わせて、横長の長方形の長孔状にしたものである。
また、上扉30に設けた上扉嵌合部100及び下扉40に設けた下扉嵌合部110以外は、第１の実施の形態と同様である。したがって、本実施の形態では、上扉嵌合部100及び下扉嵌合部110を中心に説明する。
【００４９】
（上扉嵌合部100）
上扉嵌合部100は、上扉30の裏面下部に設けられている。上扉嵌合部100は、底板15に対して所定の高さに並設された複数の上扉嵌合孔102により形成されている。各上扉嵌合孔102は、すべて同一の高さに並設されている。つまり、上扉嵌合孔102は、底板15に対し平行に並設されている。上扉嵌合孔102は、水平方向に所定の間隔で設けられている。本実施の形態では、上扉嵌合孔126は、所定の間隔で合計４個設けられている。各上扉嵌合孔102は、いずれも、横長の長方形状の長孔である。各上扉嵌合孔102は、後述する下扉40の各下扉嵌合片114がそれぞれ挿入されることにより、各下扉嵌合片114と嵌合して、上下方向のガタツキを抑える機能を有する。したがって、各上扉嵌合孔102の縦方向の径（短径）は、板状の各下扉嵌合片114の上下方向の厚さよりもわずかに大きく、かつ、ガタツキを防ぐのに適した大きさとされている。
【００５０】
（下扉嵌合部110）
下扉嵌合部110は、下扉40の裏面上部に設けられている。下扉嵌合部110は、底板15に対して所定の高さに並設された複数の下扉嵌合片114により形成されている。各下扉嵌合片114は、底板15から同一の高さに形成されている。つまり、下扉嵌合片114は、底板15に対して平行に並設されている。下扉嵌合片114は、水平方向に所定の間隔で設けられている。本実施の形態では、下扉嵌合片114は、合計４個設けられている。各下扉嵌合片114は、下扉40に対してほぼ直角に突出している。各下扉嵌合片114は、下扉40を閉じた状態で、下扉40の裏面から筐体ユニット1内部方向へ向けて突出している。各下扉嵌合片114は、板状に形成されている。各下扉嵌合片114は、各上扉嵌合孔102にそれぞれ挿入されることにより、各上扉嵌合孔102とそれぞれ嵌合して、上下方向のガタツキを抑える機能を有する。したがって、各下扉嵌合片114の上下方向の厚さは、各上扉嵌合孔102の縦方向の径（短径）よりもわずかに小さく、かつ、ガタツキを防ぐのに適した大きさとされている。
【００５１】
また、下扉嵌合片114は、根元側から先端側へ向かうに従って板の横幅が次第に狭くなるような箇所（テーパー部）を有している。
（作用・効果）
上扉30及び下扉40を閉じる場合は、第１の実施の形態と同様に、図３に示すように、先に上扉30を閉じる。上扉30は、正面向かって左側の裏面に上扉係合部61を有しており、かかる上扉係合部61は、枠体21のヒンジ60の回転軸に回動可能に係合されている。また、上扉30は、正面向かって右側の裏面にロック機構7が設けられており、かかるロック機構7は、枠体21の突出片90にロックすることが可能である。したがって、上扉30は、筐体ユニット1の開口上部13を塞ぐように閉じることが可能であり、かつ、その閉じた状態で固定することが可能である。
【００５２】
上扉30を閉じたら、次に下扉40を閉じる。下扉40は、正面向かって左側の裏面に下扉係合部63を有しており、かかる下扉係合部63は、開口下部14のヒンジ62の回転軸に回動可能に係合されている。また、下扉40は、正面向かって右側の裏面にロック機構7が設けられており、かかるロック機構7は、筐体ユニット1の側板16に設けてある突出片90にロックすることが可能である。したがって、下扉40は、筐体ユニット1の開口下部14を塞ぐように閉じることが可能であり、かつ、その閉じた状態で固定することが可能である。
そして、上扉30及び下扉40を閉じた状態では、ヒンジ60、62の回転軸のスラスト方向についての、上扉30と下扉40との距離が一定に保たれるように、各上扉嵌合部100と各下扉嵌合部110とがそれぞれ互いに嵌合する。
【００５３】
これにより、上扉30及び下扉40が「へたり」にくくなり、上扉30と下扉40との間の隙間が大きくなることを防ぐことができ、上扉30と下扉40との間の隙間からワイヤ等の異物が挿入されるのを防ぐことができる。
また、上扉30を閉じた状態では、ヒンジ60の回転軸のスラスト方向についての上扉30の移動を阻止するように、上扉30の裏面下部に設けた扉嵌合部120と、筐体ユニット1内部に設けた中板12の中板嵌合部126とが互いに嵌合する。これにより、筐体ユニット1に対する上扉30の位置が安定し、上扉30が「へたり」にくくなり、ひいては、上扉30と下扉40との間の隙間が大きくなることをより一層防ぐことができ、上扉30と下扉40との間の隙間からワイヤ等の異物が挿入されるのをより一層防ぐことができる。
【００５４】
また、下扉嵌合片114は、根元側から先端側へ向かうに従って板の横幅が次第に狭くなるような箇所（テーパー部）を有している。このように、本実施の形態では、下扉嵌合片114にテーパー部を設けているので、上扉30及び下扉40の開閉を考慮して上扉嵌合孔102の横方向の径（長径）を余計に大きくする必要がない。また、下扉嵌合片114を構成する板の上下の厚さ及び板の横幅と、上扉嵌合孔102の上下方向の径（短径）及び横方向の径（長径）とを考慮することにより、上下方向のガタツキのみならず左右方向のガタツキも抑えることができる。
（その他の実施の形態）
（図面の説明）
図６ないし図８は、他の実施の形態を示すものである。図６は、他の実施の形態における遊技機としてのスロットマシンSの側面断面図である。図７は、他の実施の形態における遊技機としてのスロットマシンSの側面断面図である。図８は、他の実施の形態における遊技機としてのスロットマシンSの側面断面図である。
【００５５】
上扉嵌合部100及び下扉嵌合部110の形状は、図６ないし図８に示すものでもよい。また、扉嵌合部120と中板嵌合部126との関係は、図６ないし図８に示すものでもよい。
具体的には、図６に示す実施の形態は、上扉30の表面下部に、上扉嵌合部100としての上扉嵌合片104を設け、上扉30の裏面下部に、扉嵌合部120を設けるとともに、下扉40の裏面上部に、下扉嵌合部110としての下扉嵌合孔112を設けたものである。
すなわち、図６に示す実施の形態では、上扉30には、第１及び第２の実施の形態の上扉嵌合孔102に代えて、上扉嵌合片104を設けるとともに、下扉40には、第１及び第２の実施の形態の下扉嵌合片114に代えて、下扉嵌合孔112を設けたものである。そして、上扉嵌合部100としての各上扉嵌合片104と、下扉嵌合部110としての下扉嵌合孔112とが、それぞれ互いに嵌合するようにしたものである。
【００５６】
このように形成しても、第１の実施の形態と同様に、各上扉嵌合部100と各下扉嵌合部110とがそれぞれ互い嵌合することにより、ヒンジ60、62の回転軸のスラスト方向についての、上扉30と下扉40との距離を一定に保つことができる。これにより、上扉30及び下扉40が「へたり」にくくなり、上扉30と下扉40との間の隙間が大きくなることを防ぐことができ、上扉30と下扉40との間の隙間からワイヤ等の異物が挿入されるのを防ぐことができる。
また、上扉嵌合片104は、第１の実施の形態で示したように、円柱状に形状してもよいし、第２の実施の形態で示したように、板状に形成してもよい。
【００５７】
また、上扉嵌合片104を板状に形成する場合には、第２の実施の形態で示したように、上扉嵌合片104に、根元側から先端側へ向かうに従って板の横幅が次第に狭くなるような箇所（テーパー部）を設けてもよい。そうすると、上扉30及び下扉40の開閉を考慮して下扉嵌合孔112の横方向の径（長径）を余計に大きくする必要がない。また、上扉嵌合片104を構成する板の上下の厚さ及び板の横幅と、下扉嵌合孔112の上下方向の径（短径）及び横方向の径（長径）とを考慮することにより、上下方向のガタツキのみならず左右方向のガタツキも抑えることができる。
また、上扉30を閉じた状態では、ヒンジ60の回転軸のスラスト方向についての上扉30の移動を阻止するように、上扉30の裏面下部に設けた扉嵌合部120と、筐体ユニット1内部に設けた中板12の中板嵌合部126とが互いに嵌合する。これにより、筐体ユニット1に対する上扉30の位置が安定し、上扉30が「へたり」にくくなり、ひいては、上扉30と下扉40との間の隙間が大きくなることをより一層防ぐことができ、上扉30と下扉40との間の隙間からワイヤ等の異物が挿入されるのをより一層防ぐことができる。
【００５８】
また、図７に示す実施の形態は、上扉30の表面下部に、上扉嵌合部100としての上扉嵌合孔102を設け、下扉40の裏面上部には、下扉嵌合部110としての下扉嵌合片114を設けるとともに、下扉40の裏面上部には、扉嵌合部120を設けたものである。
すなわち、第１及び第２の実施の形態では、扉嵌合部100を、上扉30の裏面下部に設けたが、図７に示す実施の形態では、扉嵌合部100を、下扉40の裏面上部に設けている。そして、下扉40を閉じると、ヒンジ60の回転軸のスラスト方向についての下扉40の移動を阻止するように、下扉40の裏面上部に設けた扉嵌合部120と、筐体ユニット1内部に設けた中板12の中板嵌合部126とが互いに嵌合するようにしたものである。
【００５９】
このように形成すると、筐体ユニット1に対する下扉40の位置が安定し、下扉40が「へたり」にくくなり、ひいては、上扉30と下扉40との間の隙間が大きくなることをより一層防ぐことができ、上扉30と下扉40との間の隙間からワイヤ等の異物が挿入されるのをより一層防ぐことができる。
また、図８に示す実施の形態は、上扉30の表面下部に、上扉嵌合部100としての上扉嵌合片104を設け、下扉40の裏面上部に、下扉嵌合部110としての下扉嵌合孔112を設けるとともに、下扉40の裏面上部に、扉嵌合部120を設けたものである。
すなわち、図８に示す実施の形態では、上扉30には、第１及び第２の実施の形態の上扉嵌合孔102に代えて、上扉嵌合片104を設けるとともに、下扉40には、第１及び第２の実施の形態の下扉嵌合片114に代えて、下扉嵌合孔112を設けたものである。そして、上扉嵌合部100としての各上扉嵌合片104と、下扉嵌合部110としての下扉嵌合孔112とが、それぞれ互いに嵌合するようにしたものである。
【００６０】
このように形成しても、第１の実施の形態と同様に、各上扉嵌合部100と各下扉嵌合部110とがそれぞれ互い嵌合することにより、ヒンジ60、62の回転軸のスラスト方向についての、上扉30と下扉40との距離を一定に保つことができる。これにより、上扉30及び下扉40が「へたり」にくくなり、上扉30と下扉40との間の隙間が大きくなることを防ぐことができ、上扉30と下扉40との間の隙間からワイヤ等の異物が挿入されるのを防ぐことができる。
また、上扉嵌合片104は、第１の実施の形態で示したように、円柱状に形状してもよいし、第２の実施の形態で示したように、板状に形成してもよい。
【００６１】
また、上扉嵌合片104を板状に形成する場合には、第２の実施の形態で示したように、上扉嵌合片104に、根元側から先端側へ向かうに従って板の横幅が次第に狭くなるような箇所（テーパー部）を設けてもよい。そうすると、上扉30及び下扉40の開閉を考慮して下扉嵌合孔112の横方向の径（長径）を余計に大きくする必要がない。また、上扉嵌合片104を構成する板の上下の厚さ及び板の横幅と、下扉嵌合孔112の上下方向の径（短径）及び横方向の径（長径）とを考慮することにより、上下方向のガタツキのみならず左右方向のガタツキも抑えることができる。
また、第１及び第２の実施の形態では、扉嵌合部120を、上扉30の裏面下部に設けたが、図８に示す実施の形態では、扉嵌合部120を、下扉40の裏面上部に設けている。そして、下扉40を閉じると、ヒンジ60の回転軸のスラスト方向についての下扉40の移動を阻止するように、下扉40の裏面上部に設けた扉嵌合部120と、筐体ユニット1内部に設けた中板12の中板嵌合部126とが互いに嵌合するようにしたものである。
【００６２】
このように形成すると、筐体ユニット1に対する下扉40の位置が安定し、下扉40が「へたり」にくくなり、ひいては、上扉30と下扉40との間の隙間が大きくなることをより一層防ぐことができ、上扉30と下扉40との間の隙間からワイヤ等の異物が挿入されるのをより一層防ぐことができる。
【図面の簡単な説明】
【００６３】
【図１】第１の実施の形態における遊技機としてのスロットマシンの分解斜視図。
【図２】第１の実施の形態における遊技機としてのスロットマシンの分解斜視図。
【図３】第１の実施の形態における遊技機としてのスロットマシンの下扉開放時の全体斜視図。
【図４】第１の実施の形態における遊技機としてのスロットマシンの側面断面図。
【図５】第２の実施の形態における遊技機としてのスロットマシンの下扉開放時の全体斜視図。
【図６】他の実施の形態における遊技機としてのスロットマシンの側面断面図。
【図７】他の実施の形態における遊技機としてのスロットマシンの側面断面図。
【図８】他の実施の形態における遊技機としてのスロットマシンの側面断面図。
【符号の説明】
【００６４】
S     分離型スロットマシン
1     筐体ユニット
10    固定装置                      11   開口部
12    中板                          13   開口上部
14    開口下部                      15   底板
16    側板                          17   天板
18    背板
2     交換ユニット
22    リールユニット                21   枠体
23    回転リール                    24   基板ユニット
3     前扉
30    上扉                          31   表示窓
32    表示装置                      33   飾り部
34    隠し部
40    下扉                          41   操作部
42    メダル投入口                  43   メダル受け
45    メダルセレクター              49   スピーカ
4     電源ユニット
5     ホッパーユニット
60    ヒンジ                        61   上扉係合部
62    ヒンジ                        63   下扉係合部
7     ロック機構
80    店操作部
90    突出片
100   上扉嵌合部                   102   上扉嵌合孔
104   上扉嵌合片
110   下扉嵌合部                   112   下扉嵌合孔
114   下扉嵌合片
120   扉嵌合部                     122   上部挟持板
124   下部挟持板                   126   中板嵌合部
【図１】
2006271472.tif 000003
【図２】
2006271472.tif 000004
【図３】
2006271472.tif 000005
【図４】
2006271472.tif 000006
【図５】
2006271472.tif 000007
【図６】
2006271472.tif 000008
【図７】
2006271472.tif 000009
【図８】
2006271472.tif 000010